(57)【要約】【課題】重ねて使用することが可能で実用的な植木鉢構造を提供する。【解決手段】植木鉢構造は、植木鉢本体１０と、複数の小植木鉢２０とを含む。植木鉢本体１０は、互いに一体成形された円弧状の収容空間１１を三隅にそれぞれ有する。収容空間１１には、小植木鉢２０が設置される。収容空間１１が互いに連通する。３つの収容空間１１を互いに接続する外縁が引き込まれて位置決め凹部１２が形成される。植木鉢本体１０の中央部には、中空状の錐形体１４が一体成形される。錐形体１４の底部には、凸弧面が外方へ延設される。凸弧面には、排水孔が形成される。植木鉢本体１０の外側底部には、３つの収容空間１１に対応するように位置決めリブがそれぞれ設けられ、位置決めリブにより底板１６が固設される。小植木鉢２０の底部には、係合凹溝２３がそれぞれ形成される。係合凹溝２３の周縁には、穿孔２４が形成される。【選択図】図２
0003203083.tif 000002
【実用新案登録請求の範囲】
【請求項１】
植木鉢本体と、複数の小植木鉢と、を含む植木鉢構造であって、
前記植木鉢本体は、互いに一体成形された円弧状の収容空間を三隅にそれぞれ有し、前記収容空間には、前記小植木鉢が設置され、前記収容空間が互いに連通し、前記３つの収容空間を互いに接続する外縁が引き込まれて位置決め凹部が形成され、前記植木鉢本体の中央部には、中空状の錐形体が一体成形され、前記錐形体の底部には、凸弧面が外方へ延設され、前記凸弧面には、排水孔が形成され、前記植木鉢本体の外側底部には、前記３つの収容空間に対応するように位置決めリブがそれぞれ設けられ、前記位置決めリブにより底板が固設され、
前記小植木鉢の底部には、係合凹溝がそれぞれ形成され、前記係合凹溝の周縁には、穿孔が形成されることを特徴とする植木鉢構造。
【請求項２】
前記植木鉢本体の前記３つの収容空間は、上から下方向にかけてテーパー状に形成され、
前記植木鉢本体の上端開口部には、係合環状ショルダが拡開して延設されていることを特徴とする請求項１に記載の植木鉢構造。
【請求項３】
前記小植木鉢は、上から下方向へかけてテーパ状に形成され、前記植木鉢本体の前記係合環状ショルダに対応するように嵌合環状部を上端開口に有し、位置規制リブが端部に突設されていることを特徴とする請求項２に記載の植木鉢構造。
【請求項４】
前記小植木鉢には、底部の前記係合凹溝を介してアタッチメントが取り付けられることを特徴とする請求項１に記載の植木鉢構造。
【請求項５】
前記アタッチメントはベースであり、
前記ベースは、水槽を有し、前記水槽の中央部には、前記小植木鉢が組み合わされる組立凸柱が突設されていることを特徴とする請求項４に記載の植木鉢構造。
【請求項６】
前記アタッチメントは固定釘体であり、
前記固定釘体は、上端部に設けられた組立凸部と、位置決め環状リブと、を有することを特徴とする請求項４に記載の植木鉢構造。
【考案の詳細な説明】
【技術分野】
【０００１】
本考案は、植木鉢構造に関するものであり、さらに詳しくは、重ねて使用することが可能で実用的な植木鉢構造に関するものである。
【背景技術】
【０００２】
従来の植木鉢構造は、植木鉢本体の下部に底部が設けられ、上部に開口を有する。開口の周縁には、外側から内側にかけて曲がった環状縁部が設けられる。環状縁部の外縁下側には、間隔をおいて形成された複数の握持凹部を有するので、握持凹部を利用して植木鉢内に土壌を収納して植物を植え、運搬者は握持凹部を利用して容易に手で持って運搬することができる。
【０００３】
しかし、上述したような従来構造を詳しく見ると分かるように、従来の植木鉢構造は単調で変化に乏しく、園芸景観の配列及び設置の外観があまり良くない上、複数の植木鉢を直接重ねて使用することができず、別途ラックを利用しなければ重ねて設置することができないため実用的でなかった。
【考案の概要】
【考案が解決しようとする課題】
【０００４】
従って、本考案の第１の課題は、植木鉢の配列及び管理を容易に行うことができ、園芸景観の造景効果を得ることが可能な植木鉢構造を提供することにある。
本考案の第２の課題は、第１の課題を解決する構造において溜水防止が可能な植木鉢構造を提供することにある。
本考案の第３の課題は、複数の植木鉢本体を使用する際、重ねて積層した場合も、植物が互いに影響して成長空間が制限されることを防ぎ、実用的に使用することができる植木鉢構造を提供することにある。
本考案の第４の課題は、複数の植木鉢本体を使用していないときや運送、販売するとき、互いに重ねて収納することができる植木鉢構造を提供することにある。
【課題を解決するための手段】
【０００５】
そこで、本考案者は、前記の本考案の課題を解決するため、鋭意検討を重ねた結果、第１の課題に対しては、植木鉢本体に含まれる複数の小植木鉢を設置することにより、小植木鉢の配列及び管理を容易に行うことができる上、植木鉢本体により園芸景観の造景効果を得ることが可能な植木鉢構造により達成することができる。
【０００６】
本考案の第２の課題に対しては、複数の小植木鉢を植木鉢本体へ設置した際に小植木鉢と植木鉢本体の底部とが所定の距離で離間されるため、小植木鉢底部の空気が流通し、小植木鉢にまいた水が穿孔を介して植木鉢本体の底部に流入し、ひげ根が穿孔へ向かって空隙で伸びると、底部に残留した水が吸収されて補給される上、植木鉢本体の底部に形成された排水孔を介して余分の水分を排出し、水が溜まって蚊の幼虫発生防止可能な植木鉢構造により達成することができる。
【０００７】
本考案の第３の課題に対しては、複数の植木鉢本体を使用する際、重ねて積層し、植木鉢本体を重ねると、収容空間が交互に配置された状態となり、小植木鉢の植物が互いに影響して成長空間が制限されることを防ぎ、実用的に使用することができる植木鉢構造により達成することができる。
【０００８】
本考案の第４の課題に対しては、複数の植木鉢本体を使用していないときや運送、販売するとき、互いに重ねて収納することができるため、占有空間を減らして植木鉢本体の１回当たりの運送量を大幅に増やして運送費用を減らすことが可能な植木鉢構造により達成することができる。
かくして、本考案の要旨は、次に示す通りである。
【０００９】
（１）植木鉢本体と、複数の小植木鉢と、を含む植木鉢構造であって、
前記植木鉢本体は、互いに一体成形された円弧状の収容空間を三隅にそれぞれ有し、前記収容空間には、前記小植木鉢が設置され、前記収容空間が互いに連通し、前記３つの収容空間を互いに接続する外縁が引き込まれて位置決め凹部が形成され、前記植木鉢本体の中央部には、中空状の錐形体が一体成形され、前記錐形体の底部には、凸弧面が外方へ延設され、前記凸弧面には、排水孔が形成され、前記植木鉢本体の外側底部には、前記３つの収容空間に対応するように位置決めリブがそれぞれ設けられ、前記位置決めリブにより底板が固設され、
前記小植木鉢の底部には、係合凹溝がそれぞれ形成され、前記係合凹溝の周縁には、穿孔が形成されることを特徴とする植木鉢構造。
（２）前記植木鉢本体の前記３つの収容空間は、上から下方向にかけてテーパー状に形成され、
前記植木鉢本体の上端開口部には、係合環状ショルダが拡開して延設されていることを特徴とする前記（１）に記載の植木鉢構造。
（３）前記小植木鉢は、上から下方向へかけてテーパ状に形成され、前記植木鉢本体の前記係合環状ショルダに対応するように嵌合環状部を上端開口に有し、位置規制リブが端部に突設されていることを特徴とする前記（２）に記載の植木鉢構造。
（４）前記小植木鉢には、底部の前記係合凹溝を介してアタッチメントが取り付けられることを特徴とする前記（１）に記載の植木鉢構造。
（５）前記アタッチメントはベースであり、
前記ベースは、水槽を有し、前記水槽の中央部には、前記小植木鉢が組み合わされる組立凸柱が突設されていることを特徴とする前記（４）に記載の植木鉢構造。
（６）前記アタッチメントは固定釘体であり、
前記固定釘体は、上端部に設けられた組立凸部と、位置決め環状リブと、を有することを特徴とする前記（４）に記載の植木鉢構造。
【考案の効果】
【００１０】
本考案は前記の通りの構成からなり、後述のように、複数の小植木鉢の配列及び管理を容易にし、園芸景観の造景効果を得ることができる。
また、排水の管理も容易であり、小植木鉢の植物の成長空間の制限も防止することができ、収納も容易であり、占有空間を減少させることができる。
【図面の簡単な説明】
【００１１】
【図１】図１は、本考案の一実施形態に係る植木鉢構造を示す斜視図である。
【図２】図２は、本考案の一実施形態に係る植木鉢構造を示す分解斜視図である。
【図３】図３は、本考案の一実施形態に係る植木鉢構造を別の角度から見たところを示す斜視図である。
【図４】図４は、本考案の一実施形態に係る植木鉢構造を重ねて収納した状態を示す斜視図である。
【図５】図５は、本考案の一実施形態に係る植木鉢構造を実際に使用する状態を示す説明図である。
【図６】図６は、本考案の一実施形態に係る植木鉢構造の複数の植木鉢本体の使用状態を示す斜視図である。
【図７】図７は、本考案の一実施形態に係る複数の植木鉢構造の使用状態を示す説明図である。
【図８】図８は、本考案の一実施形態に係る複数の植木鉢構造の使用状態を別の角度から見たところを示す断面図である。
【図９】図９は、本考案の他の実施形態に係る小植木鉢とベースとを組み合わせて使用する状態を示す分解斜視図である。
【図１０】図１０は、本考案の他の実施形態に係る小植木鉢とベースとを組み合わせて使用する状態を示す断面図である。
【図１１】図１１は、本考案の他の実施形態に係る小植木鉢と固定釘体とを組み合わせて使用する状態を示す分解斜視図である。
【図１２】図１２は、本考案の他の実施形態に係る小植木鉢と固定釘体とを組み合わせて使用する状態を示す断面図である。
【考案を実施するための形態】
【００１２】
図１〜図３を参照する。図１〜図３に示すように、本考案の一実施形態に係る植木鉢構造は、植木鉢本体１０と、複数の小植木鉢２０とを含む。植木鉢本体１０は、一体成形されて三隅に形成された円弧状の収容空間１１を有する。収容空間１１には、小植木鉢２０が設置される。３つの収容空間１１は、上から下方向にかけてテーパー状に形成される。３つの収容空間１１が互いに連通し、３つの収容空間１１を互いに接続する外縁が引き込まれて位置決め凹部１２が形成される。植木鉢本体１０の上端開口部には、係合環状ショルダ１３が拡開して延設される。植木鉢本体１０の中央部には、中空状の錐形体１４が一体成形される。錐形体１４の底部には、凸弧面１４１が外方へ延設される。凸弧面１４１には、排水孔１４２が形成される。植木鉢本体１０の外側底部には、３つの収容空間１１に対応するように位置決めリブ１５がそれぞれ設けられ、位置決めリブ１５により底板１６が固設される。複数の小植木鉢２０は、上から下方向へかけてテーパ状に形成され、上端開口には、植木鉢本体１０の係合環状ショルダ１３に対応するように嵌合環状部２１が設けられ、端部に位置規制リブ２２が突設され、底部に係合凹溝２３がそれぞれ形成される。係合凹溝２３の周縁には、穿孔２４が形成される。
【００１３】
図４を参照する。図４に示すように、その構造を実際に使用する場合、その植木鉢本体１０及び小植木鉢２０が未使用状態のとき、互いに重ねて容積を減らして占有空間を減らすとともに、１回当たりの運送量を増やして運送コストを減らすことができる。
【００１４】
図１、図２及び図５を参照する。図１、図２及び図５に示すように、植木鉢本体１０を実際に使用する場合、小植木鉢２０に土壌、培養土を収容して植物を植えた後、植木鉢本体１０の収容空間１１に順次設置する。小植木鉢２０を収容空間１１に組み入れられる際、位置決め凹部１２により制限される上、嵌合環状部２１により係合環状ショルダ１３に嵌合されて固定され、小植木鉢２０の上端部には、収容空間１１の端部に当接される位置規制リブ２２が設けられているため、小植木鉢２０は、それに収容された土壌、植物の重量により収容空間１１内に没入して小植木鉢２０と植木鉢本体１０とが組み合わされ、小植木鉢２０を利用して植物を植えることができる。これら複数の小植木鉢２０が収容空間に組み入れられると、その小植木鉢２０と植木鉢本体１０の内底面とが所定距離で離間されているため、小植木鉢２０の底部に空気を流通させることができる上、植物を植える者が水を撒き、その小植木鉢２０の土壌に浸透して水分が飽和して吸収されなくなると、小植木鉢２０底部の穿孔２４を介して排水されて植木鉢本体１０内に溜まり、錐形体１４の凸弧面１４１に形成された排水孔１４２を介して余った水分が排出されて底板１６内に流れ込み、排水孔１４２が凸弧面１４１に形成されて所定の高さを有するため、植木鉢本体１０内の排水孔１４２より低い箇所に水分が残留し、植物を植える際に、植物のひげ根が小植木鉢２０の穿孔２４の空隙に向かって伸び、植物の根部が穿孔２４に挿通されると、植木鉢本体１０内に残留した水分を吸収し、植物が枯れることを防いで植物の生存率を大幅に高めることができる。
【００１５】
植木鉢本体１０の錐形体１４上には、植物を植えた者が植物を何時でも観察できるように拡大鏡１７が配設されている。
【００１６】
また、複数の植木鉢本体１０に植物を植えて使用するときにも互いに重ねて使用することができる。図６、図７及び図８に示すように、２つ以上の植木鉢本体１０を重ねて使用する場合、上方に重ねた植木鉢本体１０の底部には底板１６を配設する必要がなく、底部の位置決めリブ１５が下方に重ねた植木鉢本体１０の位置決め凹部１２に嵌合されるため、２つの植木鉢本体１０の収容空間１１が交互に設けられ、２つの植木鉢本体１０の収容空間１１に小植木鉢２０を設置して植物を植えることができる状態となり、小植木鉢２０間が互いに影響して成長に悪影響を与えることを防ぐ。
【００１７】
図９〜図１２を参照する。図９〜図１２に示すように、本考案の他の実施形態に係る植木鉢構造の小植木鉢２０は、底部に形成された係合凹溝２３を介してアタッチメントが組み合わされる。アタッチメントはベース２５でもよい。ベース２５は、水槽２５１を有する。水槽２５１の中央部には、小植木鉢２０が組み合わされる組立凸柱２５２が突設される。アタッチメントは固定釘体２６でもよい。固定釘体２６の上端部には、小植木鉢２０を組み合わせる組立凸部２６１が設けられ、位置決め環状リブ２６２を設けて小植木鉢２０を組み合わせる深さを制限する。固定釘体２６は、土壌に刺し込んで使用する。
【００１８】
上述したことから分かるように、本考案の植木鉢構造は、以下（１）〜（４）の長所を有する。
（１）植木鉢本体１０には複数の小植木鉢２０が設置され、小植木鉢２０に植物を植えることができるため、小植木鉢２０の配列及び管理を容易に行うことができる上、植木鉢本体１０により園芸景観の造景効果を得ることができる。
（２）複数の小植木鉢２０を植木鉢本体１０へ設置する際、小植木鉢２０と植木鉢本体１０の底部とが所定の距離で離間されるため、小植木鉢２０底部の空気が流通し、小植木鉢２０にまいた水が穿孔２４を介して植木鉢本体１０の底部に流入し、ひげ根が穿孔２４へ向かって空隙で伸びると、底部に残留した水が吸収されて補給され、植木鉢本体１０の底部に形成された排水孔１４２を介して余った水分が排出され、水が溜まって蚊の幼虫が発生することを防ぐ。
（３）複数の植木鉢本体１０を使用する際、重ねて積層し、植木鉢本体１０を重ねると、収容空間１１が交互に配置され、小植木鉢２０の植物が互いに影響して成長空間が制限されることを防いで実用的である。
（４）複数の植木鉢本体１０を使用していないときや運送、販売するとき、互いに重ねて収納することができるため、占有空間を減らし、植木鉢本体１０の１回当たりの運送量を大幅に増やして運送費用を減らすことができる。
【符号の説明】
【００１９】
１０  植木鉢本体
１１  収容空間
１２  位置決め凹部
１３  係合環状ショルダ
１４  錐形体
１５  位置決めリブ
１６  底板
１７  拡大鏡
２０  小植木鉢
２１  嵌合環状部
２２  位置規制リブ
２３  係合凹溝
２４  穿孔
２５  ベース
２６  固定釘体
１４１  凸弧面
１４２  排水孔
２５１  水槽
２５２  組立凸柱
２６１  組立凸部
２６２  位置決め環状リブ
【図１】
0003203083.tif 000003
【図２】
0003203083.tif 000004
【図３】
0003203083.tif 000005
【図４】
0003203083.tif 000006
【図５】
0003203083.tif 000007
【図６】
0003203083.tif 000008
【図７】
0003203083.tif 000009
【図８】
0003203083.tif 000010
【図９】
0003203083.tif 000011
【図１０】
0003203083.tif 000012
【図１１】
0003203083.tif 000013
【図１２】
0003203083.tif 000014